【事件の表示】
　平成　６年特許願第　８８４０５号「電子写真感光体及び電子写真装置」拒絶査定に対する審判事件［平成　７年１１月１０日出願公開、特開平　７−２９５２７２］について、次のとおり審決する。
【結　論】
　本件審判の請求は、成り立たない。
【理　由】
１．手続の経緯、本願発明
　本願は、平成６年４月２６日の出願であって、その請求項１〜４に係る発明は、平成１３年６月１８日付け手続補正書で補正された明細書及び図面の記載からみて、特許請求の範囲の請求項１〜４に記載されたとおりのものであるところ、特に請求項１に係る発明は、請求項１に記載された次のとおりのものである。（以下、「本願発明」という。）
「【請求項１】 導電性支持体上に感光層を有する電子写真感光体であって、該感光体に接触配置された帯電部材から印加電圧として直流電圧に交流電圧を重畳させて該感光体を帯電するプロセスを有する電子写真装置用の電子写真感光体において、該感光体の表面層が下記式（Ｉ）
【化１】
（式中、Ａは炭素数１乃至１５の直鎖、分岐鎖あるいは環状のアルキリデン基、アリール置換アルキリデン基、アリーレンジアルキリデン基、又は−Ｏ−，−Ｓ−，−ＣＯ−，−ＳＯ−および−ＳＯ2−を示し、Ｒ11乃至Ｒ18は水素、ハロゲン又は炭素数１〜４のアルキル基、アルケニル基およびアリール基を示す。）で示される構成単位を有する重合体、および該式（Ｉ）で示される構成単位と下記式(II)
【化２】
（式中、Ｒ31は炭素数２〜６のアルキレン基又はアルキリデン基、Ｒ32乃至Ｒ35は炭素数１〜３のアルキル基、フェニル基又は置換フェニル基、ｎは１〜２００の整数を示す。）で示される構成単位を同時に有する共重合体を含有し、かつ潤滑剤として数平均粒径が０．１μｍ〜１０μｍの含フッ素樹脂粉体を２〜３０重量％含有することを特徴とする電子写真感光体。」
　
２．引用刊行物の記載内容
　原査定の拒絶の理由に引用された下記の各刊行物には以下の事項が記載されている。
　
刊行物１：特開平５−２９７６２０号公報
1a. 「【請求項１】 導電性支持体上に感光層を有する電子写真感光体において、該電子写真感光体の表面層が下記式（１）
【外１】
（式中、Ａは炭素数１乃至１５の直鎖、分岐鎖あるいは環状のアルキリデン基、アリール置換アルキリデン基、アリーレンジアルキリデン基、又は−Ｏ−，−Ｓ−，−ＣＯ−，−ＳＯ−及び−ＳＯ2 −を示し、Ｒ11乃至Ｒ18は水素、ハロゲン又は炭素数１乃至４のアルキル基、アルケニル基及びアリール基を示す。）で示される構成単位を有する重合体、及び下記式（２）及び（３）
【外２】
（式中、Ｂは炭素数１乃至１５の直鎖、分岐鎖あるいは環状のアルキリデン基、アリール置換アルキリデン基、アリーレンジアルキリデン基、又は−Ｏ−，−Ｓ−，−ＣＯ−，−ＳＯ−及び−ＳＯ2 −を示し、Ｒ21乃至Ｒ28は水素、ハロゲン又は炭素数１乃至４のアルキル基及びアルケニル基を示す。）
【外３】
（式中、Ｒ31は炭素数２乃至６のアルキレン基又はアルキリデン基、Ｒ32乃至Ｒ35は炭素数１乃至３のアルキル基、フェニル基又は置換フェニル基、ｎは１乃至２００を示す。）で示される構成単位を有する重合体を含有することを特徴とする電子写真感光体。」（【特許請求の範囲】）
1b. 「【発明が解決しようとする課題】本発明の目的は、ポリカーボネート樹脂を表面層として使用した電子写真感光体が従来有していた、上述したような様々な問題点を解決し、潤滑性及び耐摩耗性を向上させることによって、優れた機械的特性及び耐久性を有し、かつ保存安定性にもにも優れ、しかも製造が容易な電子写真感光体を提供することにある。」（【００１０】）
1c. 「実施例１
　…膜厚２０μｍの導電層を形成した。
　次に、…０．６μｍの下引層を形成した。
　次に…オキシチタニウムフタロシアニン…、膜厚０．２μｍの電荷発生層を得た。
　次いで、下記式
【外１８】
で示される化合物８部、下記式
【外１９】
で示される化合物２部、下記式
【外２０】
で示される構成単位からなる重合体（粘度平均分子量２．０５×１０4 ）９部及び下記式
【外２１】
で示される構成単位からなる共重合体であり、成分（ａ）が共重合体の全重量の９５重量％である共重合体（粘度平均分子量２．２１×１０4 ）１部をジクロロメタン２０部、モノクロルベンゼン４０部の混合溶媒中に溶解した溶液を前述の電荷発生層上に浸清塗布方法で塗布し、１２０℃で６０分間乾燥して膜厚２３μｍの電荷輸送層を形成した。」（【００６２】〜【００６９】）
1d. 「また、本発明においては、必要に応じて、感光層上に表面保護層として本発明の表面層を用いることもできる。…表面保護層には更にテフロン粒子などの潤滑材を添加してもよい。」（【００４５】）
1e. 「【発明の効果】以上のように、本発明によれば、優れた表面潤滑性、耐摩耗性、保存安定性、クリーニング特性及び耐ソルベントクラック性を有する電子写真感光体、該電子写真感光体を有する電子写真装置、装置ユニット及びファクシミリを提供することができる。」（【０１１８】）
　
刊行物２：特開平３−１９７９５３号公報
2a. 「（１）デジタル露光方式の電子写真装置において、露光部のスポット径が８０μｍ以下であり、用いられる有機感光体が数平均粒径０．１μｍ以上１０μｍ以下の範囲にある滑剤を該感光層中に５〜４０重量％含有するものであることを特徴とする電子写真装置。
　…
（３）該滑剤がポリエチレン、ポリプロピレン、ポリテトラフルオロエチレン及びポリフルオロエチレンから選ばれる樹脂からなる微粒子であることを特徴とする請求項１に記載の電子写真装置。
　…」（特許請求の範囲）
2b. 「繰り返し使用される為の感光体の表面層にはコロナ帯電、トナー現像、紙への転写及びクリーニング処理などの電気的又は機械的外力が直接に加えられるため、それに対する耐久性も要求される。
　具体的には、摺擦による表面の摩耗やキズの発生、トナー現像及びクリーニングの繰り返しによる表面層へのトナー付着及び転写紙の紙粉等の付着などに対して高耐久性であることが必要である。すなわち、機械的耐久性が低い場合には、多数回にわたって良好な画像を安定的に形成させることが困難であることから、現像プロセスにおいて静電潜像にトナーが付着しにくくなる。その結果として、画像が一部分欠ける“白抜け”と呼ばれる現像が起こり易くなる。」（２頁左下欄５〜１９行）
2c. 「本発明の別の目的は、摺擦による感光体表面の摩耗やキズの発生などに対して高い耐久性を有する電子写真装置及び方法を提供することにある。」（３頁左上欄６〜８行）
2d. 「本発明における有機感光体の表面層は平均粒径０．１〜１０μｍの滑剤を含有しているので、感光体表面の機械的耐久性が十分となり、摺擦による表面の摩耗やキズの発生及びポチの発生を抑えることができる。
　有機感光体の表面層のポリテトラフルオロエチレン（以下「ＰＴＦＥ」と略称することがある）の平均粒径が０．１μｍ未満であると、感光体表面の機械的耐久性が十分でなく、感光体表面に摩耗やキズを発生し易い。また、ＰＴＦＥの平均粒径が１０μｍよりも大きいと、帯電時に絶縁破壊を起こし易く、その結果としてピンホールを形成して画像にポチが発生する。
　本発明では、均一な有機樹脂分散によって表面層の臨界表面張力を低下させ、その結果としてクリーニング性の向上及び機械的強度の増加等を実現できる。また、表面層の撥水性及び離型性をも向上させるから、高湿下での表面劣化をも効果的に防止できる。
　…
　このように本発明の有機感光体では、感光体表面の機械的耐久性と適切なすべり性とに加えて良好な現像性が得られることから、高温高湿下においても多数回にわたり良質の画像を安定して形成させることができる。」（３頁右上欄４行〜左下欄１２行）
2e. 「表面層に分散される滑剤としては、例えばポリエチレン、ポリプロピレン、ポリテトラフルオロエチレン、ポリトリフルオロエチレン等の有機樹脂を用いる。この微粒子の数平均粒径は通常０．１μｍ以上１０μｍ以下の範囲内である。
　滑剤の含有量は５〜４０重量％であり、特に５〜１０重量％が好ましい。含有率が５重量％未満では滑剤分散による表面層改質効果が十分でなく、一方４０重量％を越えると感光体の光透過性を低下させ過ぎる外、キャリアの移動性をも低下させる。
　表面層を形成する為のバインダー樹脂は光透過性及び成膜性のある高分子であればよいが、更に、単独でもある程度の硬さを有すること、キャリア輸送を妨害しないなどの要請から、ポリメタクリル酸エステル、ポリカーボネート、スチレン−メタクリル酸コポリマー、ポリエステル、ポリスルホンなどが好ましい。
　以上のバインダー樹脂を含有する有機感光層中に有機樹脂である滑剤を添加すると、感光体表面の臨界表面張力を低下させることによって、この感光体を用いた際の画質を高品質に保持できる。」（３頁左下欄末行〜４頁左上欄１行）
2f. 「実施例１
　アルミニウムシリンダーに…、１μｍ厚の下引層を設けた。
　次に…ジスアゾ顔料…、膜厚０．１５μｍの電荷発生層を形成させた。
　次に、下記化学式
で表わされるポリカーボネート樹脂１０部、ポリテトラフルオロエチレン（ＰＴＦＥ）粉体（平均粒径５μｍ）５部をモノクロルベンゼン４０部、ジクロルメタン２０部…分散液に…ヒドラゾン化合物１０部を加えて溶解させた。
　この溶液を上記電荷発生層上に塗布し、１２０℃で１時間熱風乾燥して１８μｍの電荷発生層を形成させた。」（６頁左上欄１行〜右上欄下から３行）（なお、最後の「１８μｍの電荷
発生
輸送
　以上をまとめると、刊行物２には、
「導電性支持体上に感光層を有する電子写真感光体において、該感光体の表面層がポリカーボネート樹脂を含有し、かつ滑剤として数平均粒径が０．１μｍ〜１０μｍのポリテトラフルオロエチレン（ＰＴＦＥ）粉体（具体的には平均粒径５μｍ）を５〜４０重量％（具体的には２０重量％〔＝５部／（１０部＋５部＋１０部）〕）含有する電子写真感光体」が記載されていると認められる。
　
刊行物３：特開平６−８３０９６号公報
3a. 「【請求項１】 少なくとも帯電、露光、現像、転写、クリーニングの工程を経て転写材に画像を形成する電子写真装置に用いる電子写真感光体において、該転写工程が単独の感光体に対し同期した転写材を支持する転写材支持部材により行われ、該転写工程が一つの転写材に対して二回以上繰り返され、かつ一回目の転写による転写材上の画像に二回目以降の感光体上画像が同期して順次重ね合わされる多重転写工程であり、該感光体の表面層がフッ素置換樹脂粉体を含有することを特徴とする電子写真感光体。
　…
【請求項６】 前記フッ素置換樹脂粉体を含有する表面層が、更にポリカーボネート樹脂を含有する請求項１記載の電子写真感光体。
　…
【請求項８】 前記フッ素置換樹脂粉体を含有する表面層が、更に電荷輸送材料を含有する請求項１記載の電子写真感光体。
【請求項９】 前記フッ素置換樹脂粉体を含有する表面層が、電荷発生層、電荷輸送層を順次積層した後に、保護層として設けられた層である請求項１記載の電子写真感光体。」（【特許請求の範囲】）
3b. 「フッ素系樹脂粉体を均一分散させた感光層表面は、フッ素系樹脂粉体がその低エネルギー表面を感光体表面に露出させるために、著しく表面エネルギーを下げることが可能である。更にこの低エネルギー表面を有する感光体表面は、クリーニングブレードとの接触エネルギーの低下にも寄与するために、感光体駆動負荷を低減することも可能である。
　フッ素系樹脂粉体の具体例としては、テトラフルオロエチレン、ヘキサフルオロプロピレン、トリフルオロエチレン、クロロトリフルオロエチレン、フッ化ビニリデン、フッ化ビニル、パーフルオロアルキルビニルエーテル等の重合体、及びそれらの共重合体が用いられる。フッ素系樹脂粉体の粒径は０．０１〜５μｍの範囲で使用可能であり、その分子量は３０００〜５００００００の範囲で使用可能である。
　…
　フッ素系樹脂粉体の含有量は、感光体の最表面層において４〜７０重量％が好ましく、更に好ましくは１０〜５５重量％である。４重量％以下では表面エネルギーの低下が不充分であり、７０重量％以上では表面層の膜強度低下をひき起こす。」（【００１０】〜【００１３】）
3c. 「［実施例１］
　…アルミニウムシリンダーに…厚さ２０μｍの導電層を設けた。
　次に、…１μｍの下引層を設けた。
　次に、下記アゾ顔料…、０．０５μｍの電荷発生層を得た。
　次に、…２０μｍの電荷輸送層とした。
　次に、ポリテトラフルオロエチレン樹脂微粉末（乳化重合ファインパウダー、平均粒径０．２７μｍ、分子量約３０００００）１重量部、ポリカーボネート樹脂（ビスフェノールＺ、分子量８００００）６重量部、モノクロロベンゼン１２０重量部、及びジクロロメタン８０重量部をサンドミルにて分散混合した。これに、前記トリフェニルアミン（１）３重量部を加え混合溶解し、スプレー塗布により前記電荷輸送層上に塗布し、５μｍの保護層を設け感光体ドラムとした。」（【００２７】〜【００３４】）
3d. 「［実施例６］
　アルミシリンダー、導電層、下引層、電荷発生層までは実施例１と同じものを用意した。
　次に、ポリテトラフルオロエチレン樹脂微粉末（乳化重合ファインパウダー、平均粒径０．２７μｍ、分子量約３０００００）２重量部、ポリカーボネート樹脂（ビスフェノールＺ、分子量２５０００）５重量部、モノクロロベンゼン２０重量部、及びジクロロメタン１５重量部をサンドミルにて分散混合した。これに、前記トリフェニルアミン（２）５重量部を加え混合溶解し、浸漬塗布により前記電荷発生層上に塗布し、２５μｍの電荷輸送層を設け実施例６の感光体ドラムとした。」（【００６３】〜【００６４】）
　以上をまとめると、刊行物３には、
「導電性支持体上に感光層を有する電子写真感光体において、該感光体の表面層がポリカーボネート樹脂を含有し、かつ滑剤として数平均粒径が０．０１〜５μｍのポリテトラフルオロエチレン樹脂微粉末（具体的には平均粒径０．２７μｍ）を４〜７０重量％（具体的には１６．７重量％〔＝２重量部／（２重量部＋５重量部＋５重量部）〕）含有する電子写真感光体」が記載されていると認められる。
　
刊行物４：特開平２−２４０６５８号公報
4a. 「(1)　導電性基体上に感光層を設けてなる電子写真感光体において、該感光層が、結着樹脂として、下記一般式（Ｉ）で示される構造単位よりなるポリカーボネート−ポリシロキサンブロック共重合体を１種またはそれ以上
〔式中、R1、R2、R3、R4、R5、R6、R7及びR8は、それぞれ水素原子、ハロゲン原子又は低級アルキル基を表わし、R9及びR10は、それぞれ置換基を有してもよいアルキル基又はアリール基を表わし、Ａは
　Ｒａ　　Ｒｃ
　｜　　　｜
−Ｃ−、−Ｓｉ−、−Ｓ−、−ＳＯ2−、
　｜　　　｜
　Ｒｂ　　Ｒｄ
−ＣＯ−、−Ｏ−、又は−（ＣＨ2）n−
（但し、ｎは２以上の整数を表わし、Ra及びRbは、それぞれ水素原子、置換基を有してもよいアルキル基又はアリール基を表わすか、或いは、Ra及びRbが一緒に結合して炭素環又は複素環を形成する基を表わし、Rc及びRdは、それぞれ置換基を有していもよいアルキル基又はアリール基を表わす）、ｌおよびｍは、（ｌ／（ｌ＋ｍ）＝0.1〜0.9）を表わす。〕
及び下記一般式（II）で示される構造単位よりなるポリカーボネート樹脂を１種又はそれ以上
（式中、R11、R12、R13、R14、R15、R16、R17及びR18は、それぞれ水素原子又は低級アルキル基を表わし、R19及びR20は、それぞれ水素原子、置換基を有してもよいアルキル基又はアリール基を表わすか、或いはR19及びR20が一緒に結合して炭素環を形成する基を表わす。）
含有し、更にフッ素系樹脂微粒子を分散してなることを特徴とする電子写真感光体。
　…
(3)　結着樹脂に対するフッ素樹脂微粒子の重量比が、0.02〜１である特許請求の範囲第１項に記載の電子写真感光体。」（特許請求の範囲）
4b. 「発明が解決しようとする課題
　しかしながら、前記ポリカーボネート−ポリシロキサンブロック共重合体を電荷発生層或いは電荷輸送層の結着樹脂として用いた電子写真感光体では、感度、帯電性等の電気特性の点では良好な性能を示すが、機械的外力に対する耐久性、即ち、トナー、現像剤、用紙、クリーニング部材等からの直接的負担による感光体表面の摩耗や傷等の発生により画像欠陥が生じる問題、或いはコロナ放電により発生するオゾン、窒素酸化物等の低抵抗物質やコピー用紙により生じる紙粉等が感光体表面に付着蓄積することにより引き起こされる高湿環境下での画像流れの問題などがあり、感光体寿命を制限している。
　これらの問題点を解決するために種々の対策が検討されており、第１には感光体表面の硬度を増加させ、それによって摩耗や傷などの発生を抑制することがあげられ、第２には感光体表面の潤滑性を増加させ、それによって摩耗を抑制させると共に、前記付着蓄積物の感光体表面からの離型性を向上させ、画像流れの発生を防止することなどがあるが、未だ満足すべき性能を得るには至っていないのが現状である。したがって、従来から、高い表面硬度と良好な表面潤滑性を有する感光層が形成されるような結着樹脂の開発が望まれていた。
　本発明は、上記のような実状に鑑みてなされたものであって、従来の技術における上記の問題点を解消することを目的とするものである。
　すなわち、本発明の目的は、高い表面硬度と良好な表面潤滑性を合わせ持つ感光層を有する電子写真感光体を提供することにある。」（２頁右上欄末行〜右下欄１１行）
4c. 「本発明において、上記の結着樹脂中に分散させるフッ素樹脂微粒子としては、例えば、四フッ化エチレン重合体、フッ化ビニリデン重合体、塩化三フッ化ビニリデン重合体、四フッ化エチレン−六フッ化プロピレン共重合体、フッ化カーボン等の粉末を使用することができる。これらのフッ素樹脂微粒子は、平均粒径0.1μｍ〜５μｍの範囲の粒度を有するものが好ましい。
　本発明において、結着樹脂に対するフッ素樹脂微粒子の混合比は、任意に設定することができるが、フッ素樹脂微粒子が、結着樹脂に対して重量比で0.02〜１の範囲にあるのが好ましい。」（５頁左上欄７〜１８行）
4d. 「実施例１
　導電性基体…膜厚１μｍの下引き層を形成した。
　次に粒状三方晶系セレン…膜厚0.2μｍの電荷発生層を形成した。
　次にN,N′−ジフェニル−N,N′−ビス（３−メチルフェニル）−［1,1′−ビフェニル］−4,4′−ジアミン３重量部と下記構造式（Ｉ−１′）で示されるポリカーボネート−ポリシロキサンブロック共重合体（PS099、Petrarch Systems社製）３重量部と下記構造式（II−１）で示される構造単位よりなるポリカーボネート樹脂（平均分子量約３万）７重量部とを、テトラヒドロフラン及び1,4−ジオキサンの各々20重量部ずつを加えた溶剤に加えて溶解した。得られた溶液に４フッ化エチレン樹脂微粒子（ルブロンＬ−２、ダイキン工業（株）製）を１重量部加え、サンドミルで48時間分散した。得られた分散液を、上記の電荷発生層上に浸漬塗布し、乾燥して、膜厚20μｍの電荷輸送層を形成させ、三層からなる電子写真感光体を作製した。
」（５頁左下欄１６行〜６頁左上欄６行）
4e. 「実施例５
　実施例１において、電荷輸送層の結着樹脂として、前記構造式（Ｉ−１′）で示される構造単位よりなるポリカーボネート−ポリシロキサンブロック共重合体３重量部と下記構造式（II−２）で示される構造単位よりなるポリカーボネート樹脂７重量部との混合物を用いた以外は、すべて上記実施例１と同様に処理して電子写真感光体を作製し、…
」（６頁左下欄４〜１３行）
4f. 「発明の効果
　本発明においては、感光層の結着樹脂として、上記一般式（Ｉ）で示される構造単位よりなるポリカーボネート−ポリシロキサンブロック共重合体及び上記一般式（II）で示される構造単位よりなるポリカーボネート樹脂の混合物を用い、更にフッ素系樹脂微粒子を分散してなるから、形成された塗膜は極めて優れた表面硬度及び表面潤滑性を有しており、したがって本発明の電子写真感光体は、耐久性に優れ、感光層表面の摩耗及び傷による画像欠陥の発生が抑制され、また同時に、紙粉などの付着蓄積による画像流れの発生が解消され、寿命が飛躍的に向上する。」（７頁右上欄下から４行〜左下欄９行）
　以上をまとめると、刊行物４には、
「導電性支持体上に感光層を有する電子写真感光体において、該感光体の表面層がポリカーボネート樹脂を含有し、かつ潤滑剤として平均粒径が0.1μｍ〜５μｍのフッ素樹脂微粒子（具体的には４フッ化エチレン樹脂微粒子（ルブロンＬ−２、ダイキン工業（株）製））を２〜５０重量％〔＝0.02／1.02〜１／２〕（具体的には７．１重量％〔＝１重量部／（３重量部＋３重量部＋７重量部＋１重量部）〕）含有する電子写真感光体」が記載されていると認められる。
　
刊行物５：特開平６−１９１５０号公報
5a. 「【請求項１】　少なくとも直接帯電を印加される、導電性基体と感光層を有する電子写真感光体において、前記感光層が下記一般式［Ｉ］及び［II］で示される構造のランダム共重合体を含有することを特徴とする電子写真感光体。
【化１】
（式中、Ａは酸素原子またはイオウ原子、Ｒ1〜Ｒ8は水素原子、メチル基、エチル基、水酸基、又はハロゲン原子を示し、Ｂは芳香族から誘導される２官能基を示す。）
　…」（【特許請求の範囲】）
　
刊行物６：特開平４−３２０２６９号公報
6a. 「【請求項１】　導電性支持体上に少なくとも電荷発生層と電荷輸送層を順に積層して成る、電子写真感光体において、該電荷輸送層が下記一般式（１）で表わされる化合物を含有し、かつ該電荷輸送層の摩耗量が該電荷輸送層を構成するバインダー樹脂から成る層の摩耗量の１．１５〜２．０倍であることを特徴とする電子写真感光体、
【化１】
［式中、Ａｒ1，Ａｒ2は置換されていてもよい芳香環基、Ｒ1，Ｒ2は水素原子又はアルキル基、Ｒ3は水素原子、ハロゲン原子又はアルキル基である］。
【請求項２】　前記電荷輸送層を構成するバインダー樹脂がポリカーボネート樹脂である請求項１記載の電子写真感光体。
【請求項３】　前記ポリカーボネート樹脂の粘度平均分子量が２１０００〜１５００００である請求項２記載の電子写真感光体。
【請求項４】　請求項１ないし３記載の電子写真感光体を備えた電子写真装置。
【請求項５】　帯電方式が直接帯電方式である請求項４記載の電子写真装置。
…」（【特許請求の範囲】）
　
刊行物７：特開平４−３６８９５６号公報
7a. 「【請求項１】一般式（１）で示す電荷輸送材とポリカーボネート系バインダー樹脂を主体として構成される電荷輸送層を表面に有する電子写真感光体において、該ポリカーボネートの粘度平均分子量が２．５×１０4 〜１５×１０4 であることを特徴とする電子写真感光体。
一般式（１）
【化１】
式中、Ａｒ1 およびＡｒ2 は置換されていてもよい芳香環基を示し、Ｒ1 およびＲ2は水素原子またはアルキル基を示し、Ｒ3 は水素原子、アルキル基またはハロゲン原子を示す。
　…
【請求項３】 帯電方法が直接帯電である電子写真装置に用いられる請求項１または２記載の電子写真感光体。
　…」（【特許請求の範囲】）
　
３．対比・判断
　本願発明と刊行物１に記載された発明とを対比する。
　刊行物１に記載された発明の「式（１）
【外１】
（式中、Ａは炭素数１乃至１５の直鎖、分岐鎖あるいは環状のアルキリデン基、アリール置換アルキリデン基、アリーレンジアルキリデン基、又は−Ｏ−，−Ｓ−，−ＣＯ−，−ＳＯ−及び−ＳＯ2 −を示し、Ｒ11乃至Ｒ18は水素、ハロゲン又は炭素数１乃至４のアルキル基、アルケニル基及びアリール基を示す。）で示される構成単位を有する重合体」は、
本願発明の「式（Ｉ）
【化１】
（式中、Ａは炭素数１乃至１５の直鎖、分岐鎖あるいは環状のアルキリデン基、アリール置換アルキリデン基、アリーレンジアルキリデン基、又は−Ｏ−，−Ｓ−，−ＣＯ−，−ＳＯ−および−ＳＯ2−を示し、Ｒ11乃至Ｒ18は水素、ハロゲン又は炭素数１〜４のアルキル基、アルケニル基およびアリール基を示す。）で示される構成単位を有する重合体」に相当する。
（なお、刊行物１の実施例で用いられている
で示される構成単位からなる重合体は、本件の実施例で用いられているものと同じものである。）
　また、刊行物１に記載された発明の「式（２）及び（３）
【外２】
（式中、Ｂは炭素数１乃至１５の直鎖、分岐鎖あるいは環状のアルキリデン基、アリール置換アルキリデン基、アリーレンジアルキリデン基、又は−Ｏ−，−Ｓ−，−ＣＯ−，−ＳＯ−及び−ＳＯ2 −を示し、Ｒ21乃至Ｒ28は水素、ハロゲン又は炭素数１乃至４のアルキル基及びアルケニル基を示す。）
【外３】
（式中、Ｒ31は炭素数２乃至６のアルキレン基又はアルキリデン基、Ｒ32乃至Ｒ35は炭素数１乃至３のアルキル基、フェニル基又は置換フェニル基、ｎは１乃至２００を示す。）で示される構成単位を有する重合体」は、
本願発明の「式（Ｉ）で示される構成単位と下記式(II)
【化２】
（式中、Ｒ31は炭素数２〜６のアルキレン基又はアルキリデン基、Ｒ32乃至Ｒ35は炭素数１〜３のアルキル基、フェニル基又は置換フェニル基、ｎは１〜２００の整数を示す。）で示される構成単位を同時に有する共重合体」に相当する。
（なお、刊行物１の実施例で用いられている
で示される構成単位からなる共重合体は、本件の実施例で用いられているものと同じものである。）
　したがって、両者は、
「導電性支持体上に感光層を有する電子写真感光体において、該感光体の表面層が下記式（Ｉ）
【化１】
（式中、Ａは炭素数１乃至１５の直鎖、分岐鎖あるいは環状のアルキリデン基、アリール置換アルキリデン基、アリーレンジアルキリデン基、又は−Ｏ−，−Ｓ−，−ＣＯ−，−ＳＯ−および−ＳＯ2−を示し、Ｒ11乃至Ｒ18は水素、ハロゲン又は炭素数１〜４のアルキル基、アルケニル基およびアリール基を示す。）で示される構成単位を有する重合体、および該式（Ｉ）で示される構成単位と下記式(II)
【化２】
（式中、Ｒ31は炭素数２〜６のアルキレン基又はアルキリデン基、Ｒ32乃至Ｒ35は炭素数１〜３のアルキル基、フェニル基又は置換フェニル基、ｎは１〜２００の整数を示す。）で示される構成単位を同時に有する共重合体を含有する電子写真感光体。」である点で一致し、以下の点で相違する。
（相違点１）感光体自身の構成として、本願発明は、感光体の表面層が「潤滑剤として数平均粒径が０．１μｍ〜１０μｍの含フッ素樹脂粉体を２〜３０重量％含有する」のに対し、刊行物１に記載された発明については、刊行物１には潤滑剤に関する記載がない点。
（相違点２）感光体の用途として、本願発明は、電子写真感光体が、「該感光体に接触配置された帯電部材から印加電圧として直流電圧に交流電圧を重畳させて該感光体を帯電するプロセスを有する電子写真装置用」の電子写真感光体であるのに対し、刊行物１に記載された発明については、刊行物１には接触帯電に関する記載がない点。
　
　以下、相違点について検討する。
（相違点１）について
　表面層にポリカーボネート系樹脂を含有する電子写真感光体の表面層に、耐久性の向上や画質の向上を目的として、滑剤としてポリテトラフルオロエチレン粉体等の含フッ素樹脂粉体を含有させることは、刊行物２〜４に記載されるように周知の技術事項であり、特に刊行物２には、数平均粒径が０．１μｍ〜１０μｍのポリテトラフルオロエチレン（ＰＴＦＥ）粉体（具体的には平均粒径５μｍ）を５〜４０重量％（具体的には２０重量％）含有する電子写真感光体が記載されている。
　したがって、刊行物１のポリカーボネート系樹脂を含有する電子写真感光体においても、耐久性や画質の向上を図るために、その表面層に数平均粒径が０．１μｍ〜１０μｍのポリテトラフルオロエチレン粉体を適当量含有させて本願発明の構成とすることは、当業者が適宜試みる程度のことである。
（相違点２）について
　そして、刊行物５〜７に記載されているように、表面層にポリカーボネート系樹脂を含有する電子写真感光体を、接触帯電部材に直流電圧と交流電圧を重畳させて感光体を帯電するプロセスを有する電子写真装置用の電子写真感光体として採用することも、従来から周知の技術である。したがって、上記のような表面層に特定のポリカーボネート系樹脂を含有し更に数平均粒径が０．１μｍ〜１０μｍの含フッ素樹脂粉体をも適当量含有する電子写真感光体を、接触帯電部材に直流電圧と交流電圧を重畳させて感光体を帯電するプロセスを有する電子写真装置用の電子写真感光体として当業者が採用することに、格別の困難性は認められない。
　また、本願発明の効果も、刊行物１〜７の記載から、当業者が予期する程度のことである。
　
４．結論
　以上のとおり、本願の請求項１に係る発明は、本願出願前に国内で頒布された刊行物１〜７に記載された発明に基いて当業者が容易に発明をすることができたものと認められるから、特許法第２９条第２項の規定により特許を受けることができない。
　したがって、他の請求項についての判断を示すまでもなく、本願は拒絶すべきものである。
　よって、結論のとおり審決する。